(57)【要約】      （修正有）【課題】簡易な取付けに応用でき且つ騒音を隔離する能力が高い窓型エアコン装置を提供する。【解決手段】本考案は、室内機械ユニット１１と、連結装置１３と、室外機械ユニット１２とより構成され、その中、室内機械ユニット１１が、制御パネル１１１と蒸発モジュールを含み、更に前記蒸発モジュールが、冷媒蒸発器１１３、冷媒蒸発器用扇風機１１４と扇風機用モーターを含み、且つ室外機械ユニット１２が、コンプレッサー１２３と凝結モジュールを含み、更に前記凝結モジュールが、冷媒用凝結器１２１、冷媒用凝結器の扇風機１２２と扇風機用モーターを含み、その他に室外機械ユニット１１が連結装置１３と室内機械ユニット１１を経由して接続し且つ固定され、連結装置１３が窓枠の上に放置でき、この連結装置１３により連結された室内機械ユニット１１と室外機械ユニット１２を吊着して窓型エアコン装置を形成することを特徴とするものである。【選択図】図５
0003147223.tif 000002
【実用新案登録請求の範囲】
【請求項１】
一つの室内機械ユニットと、一つの室外機械ユニットと、一つの連結装置とからなる窓型エアコン装置であって、前記室内機械ユニットが室内に設置され、前記室外機械ユニットが室外に設置され、前記連結装置が、前記室外機械ユニットと前記室内機械ユニットを接続し固定し、更に窓枠の上に放置されると共に、前記連結装置により連結された前記室内機械ユニットと前記室外機械ユニットを吊着して窓型エアコン装置を形成することを特徴とする窓型エアコン装置。
【請求項２】
前記室内機械ユニットには、少なくとも一つの制御パネルと、一つの蒸発モジュールと、一つの冷媒用吸気ラインと、一つのキャピラリーと、一つの電力回路と、一つの凝結水盤と、一つの凝結水除去ポンプと一つの凝結水パイプが含まれ、前記蒸発モジュールには、少なくとも一つの冷媒蒸発器と、一つの冷媒蒸発器用扇風機と一つの扇風機用モーターが含まれることを特徴とする請求項１に記載の窓型エアコン装置。
【請求項３】
前記室外機械ユニットには、少なくとも一つのコンプレッサーと、一つの凝結モジュールと、一つの電力回路と、一つの冷媒排出ラインと、一つの冷媒用吸気ラインと一つのキャピラリーが含まれ、前記凝結モジュールには、少なくとも一つの冷媒用凝結器と、一つの冷媒用凝結器の扇風機と一つの扇風機用モーターが含まれることを特徴とする請求項１に記載の窓型エアコン装置。
【請求項４】
前記室外機械ユニットの背面には、複数個の固定部を設置し、前記複数個の固定部を調整することにより、前記窓の下方の壁が前記複数個の固定部と前記室内機械ユニットとの間に緊密に挟まれることを特徴とする請求項１に記載の窓型エアコン装置。
【請求項５】
前記連結装置は、中空構造の小型パイプを具することにより通路を形成し、そして前記室内機械ユニットが前記通路と前記室外機械ユニットを介して操作上で互いに介在し、前記連結装置が窓台の上に跨って前記室内機械ユニットと前記室外機械ユニットの重量を引き受けることを特徴とする請求項１に記載の窓型エアコン装置。
【請求項６】
前記連結装置は、一つの絶縁性品物と、一つの冷媒用吸気ラインと、一つのキャピラリーと、一つの電力回路と一つの凝結水パイプを含んでなることを特徴とする請求項１に記載の窓型エアコン装置。
【請求項７】
前記連結装置の両端は、それぞれ前記室内機械ユニットと前記室外機械ユニットのフレームの上に固定されることにより、前記室内機械ユニットと前記室外機械ユニットを組み合わせて完備な冷房機械ユニットとなることを特徴とする請求項１に記載の窓型エアコン装置。
【請求項８】
前記連結装置は、窓台の上に設置され、窓面と窓台との間に隙間空間が形成され、仮成形の充填物を使用してこの隙間空間を充填することを特徴とする請求項１に記載の窓型エアコン装置。
【考案の詳細な説明】
【技術分野】
【０００１】
本考案は、窓型エアコン装置に係り、特に簡易な取付けに応用でき且つ騒音を隔離する能力が高い窓型室内エアコン装置に関する。
【背景技術】
【０００２】
伝統的な窓型室内エアコン装置は、一つのキャビネットの中に、一つのコンプレッサーと、一つの凝結モジュールと、一つの蒸発モジュール及び関連するパネル組合せから構成され、また、窓型室内エアコン装置は一般に窓の上に取り付けられ、或いは壁の上に一つの開口が開設され、該開口の中に押し入れ且つ固定する方式により取付けを行い、そして窓型室内エアコン装置の利点は、ユーザーが取付けのコストの節約を必要とする時に、自分で該室内エアコン装置を取り付けることを選択できるという点である。
【考案の開示】
【考案が解決しようとする課題】
【０００３】
従来の窓型室内エアコン装置の取付けにおいては、通常下記の問題が生じる。
【０００４】
１．従来、室内に装置された窓型エアコン装置では、コンプレッサーと、凝結モジュールと蒸発モジュールが同一のキャビネットの中に設置され、従ってコンプレッサーと凝結モジュールにより生成された騒音の大部分が室内に入り込み、室内が相当に騒がしくなること。
【０００５】
２．従来の窓型室内エアコン装置は、窓の内に取り付けられた時に、非常に美観を損ね、且つ該窓を常に閉鎖することにより該装置を支え、取付けの利便性および取付けの費用の上では、ユーザーにとって非常に不利となること。
【０００６】
これより了解できるのは、前述の慣用の方式が依然として数多くの欠点を具し、本当に良好な設計ではなく、そしてより改良する必要があるということである。
【０００７】
本考案者は、前述の慣用の技術により生じた各項目の欠点に鑑み、より改良して革新しようと意図し、且つ孤独に苦心して鋭意に研究した後に、ついに本考案の窓型エアコン装置を成功的に研究し完成した。
【０００８】
そこで、本考案の目的は、窓型エアコン装置を提供することである。即ち、コンプレッサーと凝結モジュールが室外機械ユニットに取り付けられ、そして蒸発モジュールと制御パネルが室内機械ユニットに取り付けられ、騒音の問題を解決できる。
【０００９】
また、本考案の他の目的は、窓型エアコン装置を提供することである。即ち、伝統的なエアコンよりも取付けがより簡単で、繁雑な取付け工程を行う必要がなく、更にユーザーが自分で窓型エアコン装置を取り付けるように寄与できる。
【課題を解決するための手段】
【００１０】
上記課題を解決するためには、本考案の窓型エアコン装置は、一つの室内機械ユニットと、一つの連結装置と一つの室外機械ユニットから構成される。その中、該室内機械ユニットが一つの制御パネルと一つの蒸発モジュールを含んでなり、そして該蒸発モジュールが一つの冷媒蒸発器と、一つの冷媒蒸発器用扇風機と一つの扇風機用モーターを更に含んでなり、且つ該室外機械ユニットが一つのコンプレッサーと一つの凝結モジュールを含んでなり、そして該凝結モジュールが一つの冷媒用凝結器と、一つの冷媒用凝結器の扇風機と一つの扇風機用モーターを更に含んでなり、その他に該室外機械ユニットが連結装置と室内機械ユニットを経由して接続し且つ固定し、その中でも該連結装置は、広さと高さが約１インチである中空パイプにより構成され、窓枠の上に放置でき、この連結装置により連結された室内機械ユニットと室外機械ユニットを吊着して窓型エアコン装置を形成する一方、その他にパイプの内部が、室内機械ユニットと室外機械ユニットとの間に連通する関連の冷媒ラインと、電力回路および凝結水パイプに用いられ、本考案が左右移動開放式または上下移動開放式の窓台上に適当的に設置されることにより、ユーザーが余計な取付け料金を費やす必要がないように寄与でき、故に窓型室内エアコン装置を購買し且つ取り付けることが出来る。
【００１１】
その他に本考案は、騒音の低減と取付けの簡易さの利点を具し、従って取付けが極めて容易である静音型室内エアコン装置を探すユーザーを、引き付けることができ、且つ室内エアコン装置の取付けの人件費の高い国の消費者により選択できるはずである。
【考案の効果】
【００１２】
本考案の提供する窓型エアコン装置は、その他の慣用の技術と互いに比較すると、更に下記の利点を具する。
【００１３】
１．本考案の窓型エアコン装置は、借主または家主がマンション内の一つ又は数多くの室内エアコン・ユニットの取付けを自分で行い易くなるように寄与し、且つ取付けのコストがかからず、従って全てのユーザーが何れも自分で取り付けることを可能とし、そして技術者を雇用して取付けを行う必要がないため、消費者の需要が高まる可能性があること。
【００１４】
２．本考案の窓型エアコン装置は、そのコンプレッサーなどの騒音を招き易い素子が何れも室外に設置され、従って室内の静かさの度合により、慣用のエアコン装置よりも妨害の度合が遥かに低くなり、且つユーザーは、より快適で且つより好ましい睡眠をとることが出来ること。
【考案を実施するための最良の形態】
【００１５】
図1を参照し、これが該窓型エアコン装置の素子の組合せ図であるが、該窓型エアコン装置の主要な素子は、窓型エアコン装置10を一つ含んでなり、該窓型エアコン装置10が一つの室内機械ユニット11と、一つの室外機械ユニット12と、一つの連結装置13を含んでなり、該室内機械ユニット11が室内に設置され、その中でも該室内機械ユニット11が一つの制御パネル111と一つの蒸発モジュールを含んでなり、該蒸発モジュールが室内機械ユニット11の内部に設置され、その中でも該蒸発モジュールが一つの冷媒蒸発器と、一つの冷媒蒸発器用扇風機と一つの扇風機用モーターを含んでなり、該室外機械ユニット12が室外に設置され、その中でも該室外機械ユニット12が一つのコンプレッサーと一つの凝結モジュールを含んでなり、該凝結モジュールが室外機械ユニット12の内部に設置され、その中でも該凝結モジュールが一つの冷媒用凝結器と、一つの冷媒用凝結器の扇風機と一つの扇風機用モーターを含んでなり、該連結装置13が、室外機械ユニットと室内機械ユニットを接続し且つ固定し、そして該連結装置が窓枠の上に放置でき、この連結装置13により連結された室内機械ユニット11と室外機械ユニット12を吊着して窓型エアコン装置10を形成する。ここでは、本考案が左右移動開放式または上下移動開放式の窓台上に適当的に設置されることにより、ユーザーが余計な取付け料金を費やす必要がないように寄与でき、よって窓型室内エアコン装置を購買し且つ取り付けることが出来る。
【００１６】
図2を参照し、これが該窓型エアコン装置の組み立ての模式図であるが、該窓型エアコン装置の連結装置13は、左右開放式窓21または上下開放式窓22に放置でき、連結装置13が左右開放式窓21の上に放置された時に、窓面23と窓枠２５との間に一つの隙間27が形成されることにより、仮成形の充填物を使用してこの隙間27の空間を満たす（又は充填する）ことが出来る。その他に連結装置13が上下開放式窓22の上に放置された時に、窓面24と窓台26との間に一つの隙間28が形成されることにより、仮成形の充填物を使用してこの隙間28の空間を満たす（又は充填する）ことが出来る。
【００１７】
図3を参照し、これが本考案の窓型エアコン装置の図1の連結装置のA-A断面図であるが、該連結装置13の内部に、一つの冷媒用吸気ライン117と、一つのキャピラリー125と、一つの電力回路112と、一つの凝結水パイプ118と一つの絶縁性品物30が含まれてなり、該絶縁性品物30が冷媒用吸気ライン117と冷媒用吸気ライン117の周囲をめぐり、そして該キャピラリー125が連結装置の内部を通過し、且つその他の冷媒液体パイプにより交替でき、該システムの運転を達成する。
【００１８】
図4を参照し、これが該エアコン装置の連結装置の接続状態図であるが、その中でも該連結装置13の内部は中空で、連結品物と見なすように用いられ、冷媒パイプと、電力回路と凝結水パイプが連結装置13の室内接続端131を介して室外接続端132を通過し、その中でも該連結装置13の室内接続端131が室内機械ユニットの金属側辺41と互いに介接し、そして室外接続端132が室外機械ユニットの金属側辺42と互いに介接し、従って該連結装置13がエアコン装置を窓枠に懸架する接続物となり、且つその室内機械ユニットが窓枠の内側に接続され、そして室外機械ユニットが窓枠の外側の位置に連結され、該連結装置の両端がそれぞれ該室内機械ユニットと室外機械ユニットのフレームの上に固定されることにより、該室内機械ユニットと室外機械ユニットを組み合わせて完備な冷房機械ユニットとなる。
【００１９】
窓型エアコン装置の製造技術と材料は、既に急速且つ大幅に進展し、従って製造業者は、質量の軽い室内エアコン装置を製造でき、且つ連結装置が強固な材料を使用して製成され、その構造が共に室内機械ユニットと室外機械ユニットを穏やか且つ一体に固定でき、そして該連結装置13の両端131、132及び室内機械ユニットと室外機械ユニットの接続点が適当な位置に放置されることにより、連結装置が窓台に放置された時に、冷房機械ユニットの左右側の重量が平衡でき、左側向き又は右側向きに傾斜しないように及ぼす。
【００２０】
図5を参照し、これが該本考案の窓型エアコン装置の内部構成の構造図であるが、該窓型エアコン装置の内部構成は、主として窓型エアコン装置10を一つ含んでなり、該窓型エアコン装置10が一つの室内機械ユニット11と、一つの室外機械ユニット12と一つの連結装置13を含んでなり、該室内機械ユニット11は室内に設置され、その中でも一つの制御パネル111と、一つの電力回路112と、一つの冷媒蒸発器113と、一つの冷媒蒸発器用扇風機114と、一つの凝結水盤115と、一つの凝結水除去ポンプ116と、一つの冷媒用吸気ライン117と、一つの凝結水パイプ118と一つのキャピラリー125を含んでなり、該室外機械ユニット12は室外に設置され、その中でも一つの冷媒用凝結器121と、一つの冷媒用凝結器の扇風機122と、一つのコンプレッサー123と、冷媒排出ライン124と、一つの電力回路と一つのキャピラリー125を含んでなるが、その中でも該冷媒蒸発器113の内における液態冷媒吸収室内の熱量が気態冷媒となり、且つ先ず冷媒用吸気ライン117を通過し、更にコンプレッサー123により圧縮され、また冷媒排出ライン124を経由し、コンプレッサー123により圧縮され、冷媒用凝結器121に伝送され、この時に気態冷媒の携帯する熱量が冷媒用凝結器の周囲の空気中に排入され、熱量が排出された後に、冷媒が気態から液態に変更され、この液態冷媒が液体ラインのキャピラリー125を通過して冷媒蒸発器113に至ることにより、再び前述の循環を経由する前に、より多い熱量を携帯することになり、該冷媒蒸発器113の凝結水が室内機械ユニット11のフロア・パンの凝結水盤115の内に滴落するが、その他に該凝結水除去ポンプ116がフロア・パンの内部に設置され、その中には水中ポンプと水位レベル制御器が含まれ、該凝結水除去ポンプ116が水位レベル制御器により制御を行い、且つ水が特定のレベルに達する時に起動し、そして起動された後における水中ポンプ116により、凝結水盤115の中における凝結水が凝結水パイプ118を通過して室外機械ユニット12に移動し、引き続いて該凝結水が、室外機械ユニットの内における冷媒用凝結器118により蒸発され、或いは室外機械ユニットの外に直接に排出される。
【００２１】
本考案においては、室内機械ユニット11が壁面に緊密に寄り添うために、取付者は、室外機械ユニット12の後パネルの上に締め付けられるねじ15の方法により、室内機械ユニット11とねじ15との間に壁をしっかりと挟むことで、窓型エアコン装置が安定性を取得できる。窓型エアコン装置が電源に挿し込まれる時に、全ての運転がスタートし、従って室外機械ユニット12の上に複数個のねじ15が設置されることにより、該室内機械ユニットが、壁に緊密に寄り添う内壁箇所に放置されるまでに、壁に当着される外壁を調整するように用いられる。
【００２２】
以上の詳細な説明は、本考案に対する実行可能な実施例の具体の説明であるが、ただ該実施例が本考案の登録請求の範囲を限定するために用いられるわけではなく、如何なる本考案の技術精神を脱逸しない等価な実施または変更が何れも本考案の登録請求の範囲中に含まれるべきである。
【００２３】
上記を総合すると、本考案は、技術の思想上では、確かに革新に属するだけではなく、慣用の品物よりも前述の多項目の効果を増進でき、既に新規性と進歩性の法定の実用新案登録請求の要件を十分に満たすべきで、従って法により実用新案登録請求の出願を提出する次第である。
【図面の簡単な説明】
【００２４】
【図１】本考案の窓型エアコン装置の構成要素の組合せの説明図
【図２】本考案の窓型エアコン装置の組み立ての説明図
【図３】図１における連結装置のＡ−Ａ断面図
【図４】本考案の窓型エアコン装置の連結装置の接続状態の説明図
【図５】本考案の窓型エアコン装置の内部構成の構造図
【符号の説明】
【００２５】
10   窓型エアコン装置  
11   室内機械ユニット
12   室外機械ユニット  
13   連結装置
15   ねじ
21   左右開き式窓
22   上下開き式窓
23   窓面
24   窓面
25   窓枠
26   窓台
27   隙間
28   隙間
30   絶縁性品物
41   金属側辺
42   金属側辺
111  制御パネル  
112  電力回路
113  冷媒蒸発器
114  冷媒蒸発器用扇風機
115  凝結水盤
116  凝結水除去ポンプ
117  冷媒用吸気ライン
118  凝結水パイプ
121  冷媒用凝結器
122  冷媒用凝結器の扇風機
123  コンプレッサー
124  冷媒排出ライン
125  キャピラリー
131  室内接続端
132  室外接続端  
【図１】
0003147223.tif 000003
【図２】
0003147223.tif 000004
【図３】
0003147223.tif 000005
【図４】
0003147223.tif 000006
【図５】
0003147223.tif 000007